(57)【要約】      （修正有）【課題】ユーザ機器（ＵＥ）によるアップリンク・データ送信におけるレイテンシを低減させる。【解決手段】ＲＲＣ接続モードにおいてＵＥについてのレイテンシ低減のための装置および方法に関わる１サブフレーム内でのＵＥのグループによるコンテンション・ベースのアップリンク・アクセスの間に、ｅＮＢは、ＵＥに割り当てられ且つ送信のために使用されるリソースの割り当てられたグループに、少なくとも部分的に、基づいて受信されたアップリンク送信を復号する。減じられたＴＴＩサイズのような追加の直交化技術は、コンテンション・ベースの送信を実行する異なるユーザの間でコリジョン（衝突）を減じるために使用できる。さらに、ｅＮＢがアップリンク送信を成功裏に復号しないとき、ｅＮＢは、検出された参照信号に基づいてアップリンクを送信したＵＥを識別し、識別されたＵＥにアップリンク割り当てを送信できる。【選択図】図６
2020025276.tif 000002
【特許請求の範囲】
【請求項１】
発展型ノードＢ（ｅＮＢ）によるワイヤレス通信のための方法であって、
１つまたは複数のユーザ機器（ＵＥ）の異なるグループに、アップリンク・サブフレーム内で、リソースの異なるグループを割り当てることと、ここにおいて、各ＵＥは前記アップリンク・サブフレーム内でコンテンション・ベースのアクセスのためにその割り当てられたグループからリソースを選択する、
リソースの前記割り当てられたグループに、少なくとも部分的に、基づいて前記アップリンク・サブフレームにおいて前記ＵＥから受信されたアップリンク送信を復号することと、を備える方法。
【請求項２】
前記割り当てることは、
サブフレーム未満の持続時間の送信時間インターバル（ＴＴＩ）に対応するリソースの少なくとも１つのグループを、１つまたは複数のＵＥのグループに、割り当てることを備える、請求項１に記載の方法。
【請求項３】
前記ＴＴＩは、サブフレームの１つの時間スロット未満の持続時間を有する、請求項２に記載の方法。
【請求項４】
前記ＵＥの少なくとも１つからのアップリンク送信においてバッファ・ステータス・レポート（ＢＳＲ）を受信することと、
前記ＵＥの少なくとも１つからの次の送信のために、前記ＢＳＲに応答して、アップリンク許可を送信することと、をさらに備える請求項２に記載の方法。
【請求項５】
前記割り当てることは、グループ内の各ＵＥに異なる直交符号を割り当てることを備え、および、
前記復号することは、前記直交符号を使用して異なるＵＥを区別することを備える、請求項１に記載の方法。
【請求項６】
前記復号することは、
別のＵＥからのアップリンク送信を復号するために、前記区別されたＵＥのうちの少なくとも１つからのアップリンク送信に基づいて、干渉除去を実行することを備える、請求項５に記載の方法。
【請求項７】
前記割り当てることは、１つのグループ内の各ＵＥに異なる循環シフトまたはルート・シーケンスを割り当てることを備え、および、
前記復号することは、前記異なる循環シフトまたはルート・シーケンスを使用して異なるＵＥを区別することを備える、請求項１に記載の方法。
【請求項８】
前記復号することは、
別のＵＥからのアップリンク送信を復号するために、前記区別されたＵＥのうちの少なくとも１つからのアップリンク送信に基づいて、干渉除去を実行することを備える、請求項７に記載の方法。
【請求項９】
前記復号することは、
成功裏に復号されない少なくとも１つのアップリンク送信から復調参照信号（ＤＭＲＳ）を検出することと、
前記検出されたＤＭＳＲに基づいて前記アップリンク送信を送信したＵＥを識別することと、および、
前記識別されたＵＥにアップリンク割り当てを送信することと、を備える、請求項１に記載の方法。
【請求項１０】
前記復号することは、
別のＵＥからのアップリンク送信を復号するために、少なくとも１つのＵＥからのアップリンク送信の少なくとも部分的な復号に基づいて、干渉除去を実行することを備える、請求項１に記載の方法。
【請求項１１】
前記割り当てることは、
符号化速度、ハイブリッド自動再送要求（ＨＡＲＱ）ターミネーション・ターゲット、ＨＡＲＱプロセスにおける再送の数、または前記異なるＵＥのトラフィック・ニーズ、のうちの少なくとも１つに基づいてＵＥの異なるグループにリソースの異なるグループを割り当てることを備える、請求項１０に記載の方法。
【請求項１２】
ワイヤレス通信のための装置であって、
１つまたは複数のユーザ機器（ＵＥ）の異なるグループに、アップリンク・サブフレーム内で、リソースの異なるグループを割り当てるための手段と、ここにおいて、各ＵＥは、前記アップリンク・サブフレーム内でコンテンション・ベースのアクセスのためにその割り当てられたグループからリソースを選択する、および、
リソースの前記割り当てられたグループに、少なくとも部分的に、基づいて前記アップリンク・サブフレームにおいて前記ＵＥから受信されたアップリンク送信を復号するための手段と、を備える装置。
【請求項１３】
前記割り当てるための手段は、
サブフレーム未満の持続時間の送信時間インターバル（ＴＴＩ）に対応するリソースの少なくとも１つのグループを、１つまたは複数のＵＥのグループに、割り当てるための手段を備える、請求項１２に記載の装置。
【請求項１４】
前記ＴＴＩは、サブフレームの１つのタイム・スロット未満の持続時間を有する、請求項１３に記載の装置。
【請求項１５】
前記割り当てるための手段は、１つのグループ内の各ＵＥに異なる循環シフトまたはルート・シーケンスを割り当てるための手段を備える、および、
前記復号するための手段は、前記異なる循環シフトまたはルート・シーケンスを使用して異なるＵＥを区別するための手段を備える、請求項１２に記載の装置。
【請求項１６】
前記復号するための手段は、
別のＵＥからのアップリンク送信を復号するために、前記区別されたＵＥのうちの少なくとも１つからのアップリンク送信に基づいて、干渉除去を実行するための手段を備える、請求項１５に記載の装置。
【請求項１７】
前記復号するための手段は、
成功裏に復号されない少なくとも１つのアップリンク送信から復調参照信号（ＤＭＲＳ）を検出するための手段と、
前記検出されたＤＭＲＳに基づいて前記アップリンク送信を送信したＵＥを識別するための手段と、および、
前記識別されたＵＥにアップリンク割り当てを送信するための手段と、を備える請求項１２に記載の装置。
【請求項１８】
前記復号するための手段は、
別のＵＥからのアップリンク送信を復号するために、少なくとも１つのＵＥからのアップリンク送信の少なくとも部分的な復号に基づいて、干渉除去を実行するための手段を備える、請求項１２に記載の装置。
【請求項１９】
少なくとも１つのプロセッサおよび前記少なくとも１つのプロセッサに結合されたメモリを備えるワイヤレス通信のための装置であって、
前記少なくとも１つのプロセッサは、
１つまたは複数のユーザ機器（ＵＥ）の異なるグループに、アップリンク・サブフレーム内で、リソースの異なるグループを割り当てるように、ここにおいて、各ＵＥは、前記アップリンク・サブフレーム内でコンテンション・ベースのアクセスのためにその割り当てられたグループからリソースを選択する、および、
リソースの前記割り当てられたグループに、少なくとも部分的に、基づいて前記アップリンク・サブフレームにおいて前記ＵＥから受信されたアップリンク送信を復号するように、構成されている、装置。
【請求項２０】
前記割り当てることは、
サブフレーム未満の持続時間の送信時間インターバル（ＴＴＩ）に対応するリソースの少なくとも１つのグループを、１つまたは複数のＵＥのグループに割り当てることを備える、請求項１９に記載の装置。
【請求項２１】
前記ＴＴＩは、サブフレームの１つの時間スロット未満の持続時間を有する、請求項２０に記載の装置。
【請求項２２】
前記割り当てることは、グループ内で各ＵＥに異なる循環シフトまたはルート・シーケンスを割り当てることを備え、および、
前記復号することは、前記異なる循環シフトまたはルート・シーケンスを使用して異なるＵＥを区別することを備える、請求項１９に記載の装置。
【請求項２３】
前記復号することは、
別のＵＥからのアップリンク送信を復号するために、前記区別されたＵＥのうちの少なくとも１つからのアップリンク送信に基づいて、干渉除去を実行することを備える、請求項２２に記載の装置。
【請求項２４】
前記割り当てることは、グループ内の各ＵＥに異なる循環シフトまたはルート・シーケンスを割り当てることを備え、および、
前記復号することは、前記異なる循環シフトまたはルート・シーケンスを使用して異なるＵＥを区別することを備える、請求項１９に記載の装置。
【請求項２５】
記憶された命令を有するワイヤレス通信のためのコンピュータ可読媒体であって、前記命令は、
１つまたは複数のユーザ機器（ＵＥ）の異なるグループに、アップリンク・サブフレーム内で、リソースの異なるグループを割り当てることと、ここにおいて、各ＵＥは、前記アップリンク・サブフレーム内でコンテンション・ベースのアクセスのためにそれの割り当てられたグループからリソースを選択する、および、
リソースの前記割り当てられたグループに、少なくとも部分的に、基づいて前記アップリンク・サブフレームにおいて前記ＵＥから受信されたアップリンク送信を復号すること、のために１つまたは複数のプロセッサによって実行可能である、コンピュータ可読媒体。
【請求項２６】
前記割り当てることは、
サブフレーム未満の持続時間の送信時間インターバル（ＴＴＩ）に対応するリソースの少なくとも１つのグループを、１つまたは複数のＵＥのグループに、割り当てることを備える、請求項２５に記載のコンピュータ可読媒体。
【請求項２７】
前記ＴＴＩは、サブフレームの１つの時間スロット未満の持続時間を有する、請求項２６に記載のコンピュータ可読媒体。
【請求項２８】
前記割り当てることは、１つのグループ内で各ＵＥに異なる循環シフトまたはルート・シーケンスを割り当てることを備え、および、
前記復号することは、前記異なる循環シフトまたはルート・シーケンスを使用して異なるＵＥを区別することを備える、請求項２５に記載のコンピュータ可読媒体。
【請求項２９】
前記復号することは、
別のＵＥからのアップリンク送信を復号するために、前記区別されたＵＥのうちの少なくとも１つからのアップリンク送信に基づいて、干渉除去を実行することを備える、請求項２８に記載のコンピュータ可読媒体。
【請求項３０】
前記復号することは、
成功裏に復号されない少なくとも１つのアップリンク送信から復調参照信号（ＤＭＲＳ）を検出することと、
前記検出されたＤＭＲＳに基づいて前記アップリンク送信を送信したＵＥを識別することと、および、
前記識別されたＵＥにアップリンク割り当てを送信することと、を備える請求項２５に記載のコンピュータ可読媒体。
【発明の詳細な説明】
【関連出願の相互参照】
【０００１】
[0001]  本出願は、２０１５年１１月２４日に出願された米国仮特許出願第１４／９５１，３９３号の優先権を主張し、それは、２０１４年１１月２５日に出願された「LOW LATENCY PHYSICAL LAYER DESIGN FOR CONTENTION-BASED UPLINK CHANNELS」と題された米国特許出願第６２／０８４，４９７号の利益を主張し、これら両方は、参照により本書に明確に組み込まれる。
【技術分野】
【０００２】
[0002]  本開示は、概してワイヤレス通信（wireless communication）に関し、より具体的には、アップリンク・サブフレーム（uplink subframe）内の低レイテンシ（low-latency）のコンテンション・ベースのアクセス（contention-based access）のための方法および装置（apparatus）に関する。
【背景技術】
【０００３】
[0003]  ワイヤレス通信ネットワークは、ボイス、ビデオ、パケット・データ、メッセージング、ブロードキャストなどのさまざまな通信サービスを提供するために広く展開されている。これらのワイヤレス・ネットワークは、利用可能なネットワーク・リソース（network resource）を共有することによって複数のユーザをサポートすることが可能な多元接続ネットワークであり得る。そのような多元接続ネットワークの例は、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、およびシングル・キャリアＦＤＭＡ（ＳＣ−ＦＤＭＡ）ネットワークを含む。
【０００４】
[0004]  ワイヤレス通信ネットワークは、多くのユーザ機器（ＵＥ：user equipment）のための通信をサポートすることができる多くの基地局（ＢＳ：base station）を含み得る。ＵＥは、ダウンリンクおよびアップリンクを介して基地局（ＢＳ）と通信し得る。ダウンリンク（または順方向リンク）は、ＢＳからＵＥへの通信リンクを指し、アップリンク（または逆方向リンク）は、ＵＥからＢＳへの通信リンクを指す。ＢＳは、ＵＥにダウンリンク上でデータおよび制御情報を送信し得る、および／または、ＵＥからアップリンク上でデータおよび制御情報を受信し得る。
【０００５】
[0005]  一般に、ＵＥは、アップリンク送信（uplink transmission）のためにＢＳから許可（grant）を受信した後にアップリンク・データを送信する。ＵＥはアップリンクの許可を待つので、アップリンク・データの送信における不必要な遅延（delay）が、低アップリンク・トラフィック・シナリオの間に生じ得る。アップリンク送信のために遅延を減じることが望ましい。
【発明の概要】
【０００６】
[0006]  本開示の特定の態様は、発展型ノードＢ（ｅＮＢ：evolved Node B）によるワイヤレス通信のための方法を提供する。この方法は、概して、１つまたは複数のユーザ機器（ＵＥ：user equipment）の異なるグループに、アップリンク・サブフレーム内で、リソースの異なるグループを割り当てる（assign）ことと、ここにおいて各ＵＥは、アップリンク・サブフレーム内でコンテンション・ベースのアクセスのためにその割り当てられたグループからリソースを選択し、および、リソースの割り当てられたグループに、少なくとも部分的に、基づいてサブフレーム（subframe）においてＵＥから受信されたアップリンク送信を復号する（decode）こととを含む。
【０００７】
[0007]  本開示の特定の態様は、ワイヤレス通信のための装置を提供する。この装置は、概して、１つまたは複数のユーザ機器（ＵＥ）の異なるグループに、アップリンク・サブフレーム内で、リソースの異なるグループを割り当てるための手段と、ここにおいて、各ＵＥは、アップリンク・サブフレーム内でコンテンション・ベースのアクセスのためにそれの割り当てられたグループからリソースを選択する、および、リソースの割り当てられたグループに、少なくとも部分的に、基づいてサブフレームにおいてＵＥから受信されたアップリンク送信を復号するための手段とを、含む。
【０００８】
[0008]  本開示の特定の態様は、ワイヤレス通信のための装置を提供する。この装置は、概して、少なくとも１つのプロセッサ（processor）、および記憶された命令（instructions）を備え少なくとも１つのプロセッサに結合されたメモリ（memory）を含む。少なくとも１つのプロセッサは、１つまたは複数のユーザ機器（ＵＥ）の異なるグループに、アップリンク・サブフレーム内で、リソースの異なるグループを割り当てるように、ここにおいて、各ＵＥは、アップリンク・サブフレーム内でコンテンション・ベースのアクセスのための割り当てられたグループからリソースを選択する、および、リソースの割り当てられたグループに、少なくとも部分的に、基づいてサブフレーム内でＵＥから受信されたアップリンク送信を復号するように、構成され得る。
【０００９】
[0009]  本開示の特定の態様は、記憶された命令を有するワイヤレス通信のためのコンピュータ可読媒体（computer readable medium）を提供する。命令は、１つまたは複数のユーザ機器（ＵＥ）の異なるグループに、アップリンク・サブフレーム内で、リソースの異なるグループを割り当てるための、ここにおいて、各ＵＥは、アップリンク・サブフレーム内でコンテンション・ベースのアクセスのための割り当てられたグループからリソースを選択するために、および、リソースの割り当てられたグループに、少なくとも部分的に、基づいてサブフレーム内でＵＥから受信されたアップリンク送信を復号するために、１つまたは複数のプロセッサによって実行可能である。
【００１０】
[0010]  装置、システムおよびコンピュータ・プログラム製品を含む、数多くの他の態様が提供される。本開示のさまざまな態様および特徴が、以下においてさらに詳細に説明される。
【図面の簡単な説明】
【００１１】
【図１】[0011]  図１は、本開示の特定の態様にしたがってワイヤレス通信ネットワークの例を概念的に示すブロック図である。
【図２】[0012]  図２は、本開示の特定の態様にしたがってワイヤレス通信ネットワークにおいてフレーム構造（frame structure）の例を概念的に示すブロック図である。
【図２Ａ】[0013]  図２Ａは、本開示の特定の態様にしたがってロング・ターム・エボリューション（ＬＴＥ（登録商標））におけるアップリンクのための実例的なフォーマットを示す。
【図３】[0014]  図３は、本開示の特定の態様にしたがってワイヤレス通信ネットワークにおいてＵＥと通信しているｅＮＢの例を概念的に示すブロック図を示す。
【図４】[0015]  図４は、本開示の態様にしたがって、減じられた送信時間インターバル（ＴＴＩ）の例を示す。
【図５】[0016]  図５は、本開示の態様にしたがって、ＵＥのグループ内でＵＥに異なる循環シフト（cyclic shift）を割り当てることの例を示す。
【図６】[0017]  図６は、本開示の特定の態様にしたがって、例えば、ｅＮＢよって実行される例示的な動作を示す。
【発明を実施するための形態】
【００１２】
[0018]  ＬＴＥネットワークにおいて、ＵＥは、送信するためのアップリンク（ＵＬ）データを有するとき、ｅＮＢにランダム・アクセス・チャネル（ＲＡＣＨ:random access channel）上でメッセージまたはスケジューリング要求（ＳＲ:scheduling request）を送信し得る。これに応答して、ＵＥは、ＵＬ送信のための許可を、ｅＮＢから、受信し得る。その後、ＵＥは、ＵＬデータを送信し得る。
【００１３】
[0019]  レイテンシ（latency）を減じるために、本開示の複数の態様にしたがって、ｅＮＢは、ＵＥの異なるグループに、アップリンク・サブフレーム内で、リソースの異なるグループをスケジューリングし得る。ＵＥは、コンテンション・ベースのアップリンク・アクセス（contention-based uplink access）のために、リソースの割り当てられたグループからリソースを選択し得る。
【００１４】
[0020]  本書に説明されている技術を使用して、コンテンションが無い場合、ｅＮＢは、従来の手段と比較して（例えばＵＥがＵＬ許可を受信した後にＵＬ送信を実行する場合と比較して）、より少ない遅延でアップリンク・チャネル（uplink channel）（例えばＰＵＳＣＨ）上でアップリンクのコンテンション・ベースの送信（uplink contention-based transmissions）を受信し得る。しかしながら、アップリンク・コリジョン（uplink collision）が生じるとき、従来の手段と比較して、増大した遅延が生じる。例えば、アップリンク・コリジョンが生じると、ｅＮＢは、ＵＥがＲＡＣＨ上でメッセージまたはＳＲを送信した場合、ＵＬ許可を受信した場合、および受信された許可に応答してアップリンク・データを送信した場合と比較して、増大したレイテンシでアップリンク・データを復号し得る。
【００１５】
[0021]  その結果、本開示の複数の態様はまた、アップリンク・コリジョンが存在するときでさえもアドバンスト・レシーバ・アルゴリズム（advanced receiver algorithm）が、ｅＮＢにおいて、複数のＵＥからの送信を分離（separate）する設計を提供する。本書においてより詳細に説明されるように、複数のＵＥからのアップリンク送信が（例えばアップリンク・コリジョンに起因して）復号され得ないときでさえも、ｅＮＢは、復号に失敗した送信を送信したＵＥを識別（identify）し得、識別されたＵＥにアップリンク許可（uplink grant）を送信し得る。この方法で、識別されたＵＥは、アップリンク・チャネル上で、コンテンション・フリー（contention-free）で、それのアップリンク・データを送信し得る。
【００１６】
［0022］  添付の図面と関連して下記に説明される詳細な説明は、さまざまな構成（configuration）の説明として意図されており、ここに説明されている概念が実施（practice）され得る構成のみを示すことは、意図されない。この詳細な説明は、さまざまな概念の完全な理解を提供するために、具体的な詳細を含む。しかしながら、これらの概念がこれらの具体的な詳細なしでも実施され得ることは、当業者には明らかであろう。いくつかの事例では、周知の構造（well-known structure）およびコンポーネントが、このような概念を曖昧にすることを避けるために、ブロック図の形式で示される。
【００１７】
［0023］  本明細書で説明される技術は、ＣＤＭＡ、ＴＤＭＡ、ＦＤＭＡ、ＯＦＤＭＡ、ＳＣ−ＦＤＭＡ、および他のネットワークのようなさまざまなワイヤレス通信ネットワークに使用され得る。「ネットワーク（network）」および「システム（system）」という用語は、しばしば同義で使用される。ＣＤＭＡネットワークは、ユニバーサル地上無線アクセス（ＵＴＲＡ：Universal Terrestrial Radio Access）、ｃｄｍａ２０００などの無線技術を実装（implement）し得る。ＵＴＲＡは、広帯域ＣＤＭＡ（ＷＣＤＭＡ（登録商標））およびＣＤＭＡの他の変形を含む。ｃｄｍａ２０００は、ＩＳ−２０００、ＩＳ−９５、およびＩＳ−８５６基準をカバーする。ＴＤＭＡネットワークは、モバイル通信のためのグローバル・システム（ＧＳＭ（登録商標）： Global System for Mobile Communications）のような無線技術を実装し得る。ＯＦＤＭＡネットワークは、発展型ＵＴＲＡ（Ｅ−ＵＴＲＡ）、ウルトラ・モバイル・ブロードバンド（ＵＭＢ）、ＩＥＥＥ ８０２．１１（Ｗｉ−Ｆｉ（登録商標））、ＩＥＥＥ ８０２．１６（ＷｉＭＡＸ（登録商標））、ＩＥＥＥ ８０２．２０、Ｆｌａｓｈ−ＯＦＤＭ（登録商標）、などのような無線技術を実装し得る。ＵＴＲＡおよびＥ−ＵＴＲＡは、ユニバーサル・モバイル・テレコミュニケーション・システム（ＵＭＴＳ：Universal Mobile Telecommunication System）の一部である。３ＧＰＰ（登録商標）ロング・ターム・エボリューション（ＬＴＥ）およびＬＴＥ−Ａｄｖａｎｃｅｄ（ＬＴＥ−Ａ）は、Ｅ−ＵＴＲＡを使用するＵＭＴＳのより新しいリリースである。ＵＴＲＡ、Ｅ−ＵＴＲＡ、ＵＭＴＳ、ＬＴＥ、ＬＴＥ−ＡおよびＧＳＭは、「第３世代パートナーシップ・プロジェクト」（３ＧＰＰ）という名称の団体からの文書内において説明されている。ｃｄｍａ２０００およびＵＭＢは、「第３世代パートナーシップ・プロジェクト２」（３ＧＰＰ２）という名称の団体からの文書内において説明されている。本明細書において説明される技術は、上述されたワイヤレス・ネットワークおよび無線技術ならびに他のワイヤレス・ネットワークおよび無線技術に対して使用され得る。明確さのために、技術の特定の態様は、ＬＴＥに関して以下において説明され、ＬＴＥの専門用語が以下の説明の大部分において使用される。
【００１８】
[0024]  図１は、本書で説明される技術が実施（practice）され得るワイヤレス通信ネットワーク１００（例えばＬＴＥネットワーク）を示す。例えば、この技術は、ｅＮＢ１１０とＵＥ１２０のグループとの間の通信のために使用され得る。本書でより詳細に説明されるように、ｅＮＢ１１０（例えばｅＮＢ１１０ａ、ｅＮＢ１１０ｂ、ｅＮＢ１１０ｃ）は、アップリンク・サブフレーム内でのコンテンション・ベースのアクセスのために１つまたは複数のＵＥ１２０のグループにリソースのグループを割り当て得る。さらに、ｅＮＢ１１０は、リソースの割り当てられたグループに、少なくとも部分的に、基づいてサブフレームにおいてＵＥ１２０から受信されたアップリンク送信を、復号し得る。
【００１９】
[0025]  示されているように、ワイヤレス・ネットワーク１００は、多数の発展型ノードＢ（ｅＮＢ）１１０および他のネットワーク・エンティティ（network entity）を含み得る。ｅＮＢは、ユーザ機器デバイスと通信する局であり得、ＢＳ、ノードＢ、アクセス・ポイント（ＡＰ：access point）などとも称され得る。各ｅＮＢ１１０は、特定の地理的エリアに関わる通信カバレッジを提供し得る。「セル（cell）」という用語は、この用語が使用されるコンテキストに依存して、ｅＮＢのカバレッジ・エリアおよび／またはこのカバレッジ・エリアにサービングするｅＮＢサブシステムを指し得る。
【００２０】
[0026]  ｅＮＢは、マクロ・セル、ピコ・セル、フェムト・セル、および／または、他のタイプのセルのための通信カバレッジを提供し得る。マクロ・セルは、比較的大きい地理的エリア（例えば、半径数キロメートル）をカバーし得、サービスに加入しているＵＥによる無制限のアクセスを可能にし得る。ピコ・セルは、比較的小さい地理的エリアをカバーし得、サービスに加入しているＵＥによる無制限のアクセスを可能にし得る。フェムト・セルは、比較的小さい地理的エリア（例えば、家）をカバーし得、このフェムト・セルとの関連付けを有するＵＥ（例えば、クローズド加入者グループ（ＣＳＧ：Closed Subscriber Group）内におけるＵＥ、家の中にいるユーザのためのＵＥなど）による制限されたアクセスを可能にし得る。マクロ・セルに関わるｅＮＢは、マクロｅＮＢと称され得る。ピコ・セルに関わるｅＮＢは、ピコｅＮＢと称され得る。フェムト・セルに関わるｅＮＢは、フェムトｅＮＢまたはホームｅＮＢと称され得る。図１に示される例では、ｅＮＢ１１０ａ、１１０ｂ、および１１０ｃは、それぞれ、マクロ・セル１０２ａ、１０２ｂ、および１０２ｃのためのマクロｅＮＢであり得る。ｅＮＢ１１０ｘは、ピコ・セル１０２ｘのためのピコｅＮＢであり得る。ｅＮＢ１１０ｙおよび１１０ｚは、それぞれ、フェムト・セル１０２ｙおよび１０２ｚのためのフェムトｅＮＢであり得る。ｅＮＢは、１つまたは複数（例えば、３つ）のセルをサポートし得る。
【００２１】
[0027]  ワイヤレス・ネットワーク１００はまた、リレー局（relay station）を含み得る。リレー局は、アップストリーム局（例えば、ｅＮＢまたはＵＥ）からデータおよび／または他の情報の送信を受信し、ダウンストリーム局（例えば、ＵＥまたはｅＮＢ）にデータおよび／または他の情報の送信を送る局である。リレー局は、また、他のＵＥに対する送信を中継するＵＥであり得る。図１に示される例では、リレー局１１０ｒは、ｅＮＢ１１０ａとＵＥ１２０ｒとの間の通信を促進するためにｅＮＢ１１０ａおよびＵＥ１２０ｒと通信し得る。リレー局は、また、リレーｅＮＢ、リレーなどと称され得る。
【００２２】
[0028]  ワイヤレス・ネットワーク１００は、例えば、マクロｅＮＢ、ピコｅＮＢ、フェムトｅＮＢ、リレーなどの異なるタイプのｅＮＢを含む異種ネットワークであり得る。これらの異なるタイプのｅノードＢは、ワイヤレス・ネットワーク１００において、異なる送信電力レベル、異なるカバレッジ領域、および干渉（interference）に対する異なる影響（impact）を有し得る。例えば、マクロｅＮＢが高い送信電力レベル（例えば、２０ワット）を有し得るのに対して、ピコｅＮＢ、フェムトｅＮＢ、およびリレーは、より低い送信電力レベル（例えば、１ワット）を有し得る。
【００２３】
[0029]  ワイヤレス・ネットワーク１００は、同期または非同期動作をサポートし得る。同期動作の場合、ｅＮＢは、同様のフレーム・タイミングを有し得、異なるｅＮＢからの送信は、ほぼ時間的に揃えられ（align）得る。非同期動作の場合、ｅＮＢは、異なるフレーム・タイミングを有し、異なるｅＮＢからの送信は、時間的に揃えられない可能性がある。本明細書において説明される技術は、同期および非同期動作の両方に対して使用され得る。
【００２４】
[0030]  ネットワーク・コントローラ１３０は、ｅＮＢのセットに結合し得、これらのｅＮＢに対して調整および制御を提供し得る。ネットワーク・コントローラ１３０は、バックホール（backhaul）を介してｅＮＢ１１０と通信し得る。ｅＮＢ１１０はまた、例えば、ワイヤレスまたはワイヤライン・バックホールを介して直接または間接的に互いに通信し得る。
【００２５】
[0031]  ＵＥ１２０は、ワイヤレス・ネットワーク１００全体にわたって分布され得、各ＵＥは、固定式または移動式であり得る。ＵＥはまた、ターミナル、移動局、加入者ユニット、局などと称され得る。ＵＥは、セルラ式携帯電話、スマート・フォン、携帯情報端末（ＰＤＡ）、ワイヤレス・モデム、ワイヤレス通信デバイス、携帯端末、ラップトップ・コンピュータ、ネットブック、スマートブック、ウルトラブック、コードレス電話、ワイヤレス・ローカル・ループ（ＷＬＬ：wireless local loop）局、タブレット、位置標定デバイス（position location device）、ゲーム・デバイス、カメラ、ウェアラブル・デバイス（例えばスマート・グラス、スマート・ゴーグル、スマート・ブレスレット、スマート・ウォッチ、スマート・バンド、スマート・リング、スマート・クロージング（smart clothing））、ドローン（drone）、ロボットなどであり得る。ＵＥは、マクロｅＮＢ、ピコｅＮＢ、フェムトｅＮＢ、リレーなどと通信することが可能であり得る。図１において、両矢印を有する実線は、ＵＥとサービングｅＮＢとの間での所望の送信（desired transmission）を示し、サービングｅＮＢは、ダウンリンクおよび／またはアップリンク上においてＵＥにサービングするように指定されたｅＮＢである。両矢印を有する破線は、ＵＥとｅＮＢとの間での干渉する送信を示す。
【００２６】
[0032]  ＬＴＥは、ダウンリンク上で直交周波数分割多重（ＯＦＤＭ）を、アップリンク上で単一キャリア周波数分割多重（ＳＣ−ＦＤＭ）を、利用する。ＯＦＤＭおよびＳＣ−ＦＤＭは、システム帯域幅を複数（Ｋ）の直交サブキャリア（orthogonal subcarrier）に分割し、これらはまた、一般に、トーン（tone）、ビン（bin）などと称される。各サブキャリアは、データを用いて変調され得る。一般に、変調シンボルは、ＯＦＤＭでは周波数領域で、ＳＣ−ＦＤＭＡでは時間領域で、送られる。隣接するサブキャリア間の間隔は、固定であり得、サブキャリアの合計数（Ｋ）は、システム帯域幅に依存し得る。例えば、Ｋは、１．２５、２．５、５、１０または２０メガヘルツ（ＭＨｚ）のシステム帯域幅に対して、それぞれ、１２８、２５６、５１２、１０２４または２０４８に等しくなり得る。システム帯域幅はまた、サブバンドに分割され得る。例えば、サブバンドは、１．０８ＭＨｚをカバーし得、１．２５、２．５、５、１０または２０ＭＨｚのシステム帯域幅に対して、それぞれ、１、２、４、８、または１６個のサブバンドが存在し得る。
【００２７】
[0033]  ＵＥは、複数のｅＮＢのカバレッジ内にあり得る。これらｅＮＢのうちの１つは、ＵＥにサービス提供するために選択され得る。サービングｅＮＢは、例えば、受信電力、受信品質、パス損失、信号対雑音比（ＳＮＲ：signal-to-noise ratio）などのようなさまざまな基準に基づいて選択され得る。
【００２８】
[0034]  ＵＥは、ＵＥが１つまたは複数の干渉ｅＮＢから高い干渉を観測し得る支配的な干渉シナリオにおいて動作し得る。支配的な干渉のシナリオは、制限された関連付けによって生じ得る。例えば、図１において、ＵＥ１２０ｙは、フェムトｅＮＢ１１０ｙの近くにあり得、ｅＮＢ１１０ｙに対して高い受信電力を有し得る。しかしながら、ＵＥ１２０ｙは、制限された関連付けに起因してフェムトｅＮＢ１１０ｙにアクセスすることができない可能性があり、その後、（図１において示されるように）より低い受信電力でマクロｅＮＢ１１０ｃに、または同じく（図１において示されていないが）より低い受信電力でフェムトｅＮＢ１１０ｚに、接続し得る。ＵＥ１２０ｙはその後、ダウンリンク上でフェムトｅＮＢ１１０ｙからの高い干渉を観測し得、また、アップリンク上でｅＮＢ１１０ｙに対して高い干渉を引き起こし得る。
【００２９】
[0035]  支配的な干渉シナリオはまた、範囲拡張に起因して生じ得るが、それは、ＵＥが、ＵＥによって検出（detect）された全てのｅＮＢの中でより低いパス損失とより低いＳＮＲとを有するｅＮＢに接続するシナリオである。例えば、図１において、ＵＥ１２０ｘは、マクロｅＮＢ１１０ｂおよびピコｅＮＢ１１０ｘを検出し得、ｅＮＢ１１０ｘに対してｅＮＢ１１０ｂよりも低い受信電力を有し得る。それにもかかわらず、ｅＮＢ１１０ｘのためのパス損失がマクロｅＮＢ１１０ｂのためのパス損失よりも低い場合にＵＥ１２０ｘにとってピコｅＮＢ１１０ｘに接続することが望まれ得る。これは、ＵＥ１２０ｘに関わる所与のデータ・レート（data rate）に関してワイヤレス・ネットワークに対するより少ない干渉（interference）をもたらし得る。
【００３０】
[0036]  一態様において、支配的な干渉シナリオにおける通信は、異なるｅＮＢを異なる周波数帯域で動作させることによってサポートされ得る。周波数帯域は、（ｉ）中心周波数および帯域幅、または（ｉｉ）より低い周波数およびより高い周波数によって与えられ得、および、通信に使用され得る周波数の範囲である。周波数帯域はまた、帯域、周波数チャネルなどとも称され得る。異なるｅＮＢのための複数の周波数帯域は、あるＵＥが支配的干渉シナリオにおいてより弱いｅＮＢと通信でき、一方で強いｅＮＢがそれのＵＥと通信することを可能にするように、選択され得る。ｅＮＢは、ＵＥにおいて受信されたｅＮＢからの信号の相対的受信電力に基づいて（例えば、ｅＮＢの送信電力レベルには基づかずに）「弱い（weak）」ｅＮＢまたは「強い（strong）」ｅＮＢとして分類され得る。
【００３１】
[0037]  複数の態様にしたがって、本書においてより詳細に説明されるように、ｅＮＢ１１０は、ＵＥ１２０のグループにリソースの異なるグループを割り当て得る。ＵＥ１２０の各々は、アップリンク・サブフレーム内でコンテンション・ベースのアクセスのためにリソースの割り当てられたグループからリソースを選択し得る。本書で説明される技術にしたがって、ｅＮＢ１１０は、リソースの割り当てられたグループに、少なくとも部分的に、基づいてアップリンク送信を復号し得る。さらに、アップリンク送信がｅＮＢ１１０によって成功裏に復号されない（not successfully decoded）とき、ｅＮＢは、例えば、検出された復調参照信号（ＤＭＲＳ：demodulation reference signal）に基づいてアップリンク送信を送信したＵＥを識別し得る。ＵＥを識別するためにｅＮＢによって使用されるレシーバ・アルゴリズムに関わらず、識別すると、ｅＮＢは、識別されたＵＥにアップリンク許可を送信し得る。
【００３２】
[0038]  図２は、ＬＴＥにおいて使用されるフレーム構造を示す。例えば、ｅＮＢ１１０は、示されているフレーム構造を使用してダウンリンク（ＤＬ）上で通信し得る。
【００３３】
[0039]  ダウンリンクのための送信のタイムライン（timeline）は、無線フレームの単位に分割され得る。各無線フレームは、所定の持続時間（duration）（例えば、１０ミリ秒（ｍｓ））を有し得、０乃至９のインデックスを有する１０個のサブフレームに区分され得る。各サブフレームは、２つのスロット（slot）を含み得る。かくして、各無線フレームは、０乃至１９のインデックスを有する２０個のスロットを含み得る。各スロットは、Ｌ個のシンボル期間、例えば、（図２に示されるような）通常のサイクリック・プレフィックス（cyclic prefix）の場合はＬ＝７個のシンボル期間、または拡張されたサイクリック・プレフィックスの場合はＬ＝６個のシンボル期間を含み得る。各サブフレーム内における２Ｌ個のシンボル期間は、０乃至２Ｌ−１のインデックスを割り当てられ得る。利用可能な時間周波数リソースは、複数のリソース・ブロック（resource block）に区分され得る。各リソース・ブロックは、１つのスロットにおいてＮ個のサブキャリア（例えば、１２個のサブキャリア）をカバーし得る。
【００３４】
[0040]  ＬＴＥにおいて、ｅＮＢは、ｅＮＢにおける各セルについてのプライマリ同期信号（ＰＳＳ：primary synchronization signal）およびセカンダリ同期信号（ＳＳＳ：secondary synchronization signal）を送信し得る。プライマリおよびセカンダリ同期信号は、図２において示されるように、通常のサイクリック・プレフィックス（ＣＰ：cyclic prefix）で各無線フレームのサブフレーム０および５の各々におけるシンボル期間６および５において、それぞれ、送られ得る。同期信号は、セル検出および捕捉のためにＵＥによって使用され得る。ｅＮＢは、サブフレーム０のスロット１におけるシンボル期間０乃至３において物理ブロードキャスト・チャネル（ＰＢＣＨ：Physical Broadcast Channel）を送り得る。ＰＢＣＨは、特定のシステム情報を搬送し得る。
【００３５】
[0041]  ｅＮＢは、図２において示されるように、各サブフレームの第１のシンボル期間において物理制御フォーマット・インジケータ・チャネル（ＰＣＦＩＣＨ：Physical Control Format Indicator Channel）を送り得る。ＰＣＦＩＣＨは、制御チャネルに対して使用されるシンボル期間の数（Ｍ個）を伝達し得、ここにおいて、Ｍは、１、２または３に等しくなり得、サブフレームごとに変化し得る。Ｍはまた、例えば、１０個未満のリソース・ブロックを有する小さなシステム帯域幅の場合、４に等しくなり得る。ｅＮＢは、（図２に図示されていないが）各サブフレームの第１のＭ個のシンボル期間において物理ＨＡＲＱインジケータ・チャネル（ＰＨＩＣＨ：Physical HARQ Indicator Channel）および物理ダウンリンク制御チャネル（ＰＤＣＣＨ：Physical Downlink Control Channel）を送り得る。ＰＨＩＣＨは、ハイブリッド自動再送要求（ＨＡＲＱ：hybrid automatic repeat request）をサポートするための情報を搬送し得る。ＰＤＣＣＨは、ＵＥに対するリソース割り当てについての情報と、ダウンリンク・チャネルに関わる制御情報とを搬送し得る。ｅＮＢは、各サブフレームの残りのシンボル期間において物理ダウンリンク共有チャネル（ＰＤＳＣＨ：Physical Downlink Shared Channel）を送り得る。ＰＤＳＣＨは、ダウンリンク上でのデータ送信のためにスケジュールされたＵＥに関わるデータを搬送し得る。
【００３６】
[0042]  ｅＮＢは、ｅＮＢによって使用されるシステム帯域幅の中心である１．０８ＭＨｚにおいて、ＰＳＳ、ＳＳＳ、およびＰＢＣＨを送り得る。ｅＮＢは、これらのチャネルが送られる各シンボル期間において、システム帯域幅全体にわたってＰＣＦＩＣＨおよびＰＨＩＣＨ、送り得る。ｅＮＢは、システム帯域幅のある特定の部分においてＵＥのグループにＰＤＣＣＨを送り得る。ｅＮＢは、システム帯域幅の特定の部分において特定のＵＥにＰＤＳＣＨを送り得る。ｅＮＢは、全てのＵＥにブロードキャスト方式でＰＳＳ、ＳＳＳ、ＰＢＣＨ、ＰＣＦＩＣＨ、およびＰＨＩＣＨを送り、特定のＵＥにユニキャスト方式（unicast manner）でＰＤＣＣＨを送り、また特定のＵＥにユニキャスト方式でＰＤＳＣＨを送り得る。
【００３７】
[0043]  多数のリソース要素が各シンボル期間において利用可能であり得る。各リソース要素（ＲＥ：resource element）は、１つのシンボル期間内において１つのサブキャリアをカバーし得、１つの変調シンボルを送るために使用され得、それは、実数値または複素数値であり得る。各シンボル期間内において参照信号に対して使用されないリソース要素は、リソース要素グループ（ＲＥＧ：resource element group）に配置され得る。各ＲＥＧは、１つのシンボル期間における４つのリソース要素を含み得る。ＰＣＦＩＣＨは、シンボル期間０において４つのＲＥＧを占有し得、それらは、周波数にわたってほぼ均等に間隔が空けられ得る。ＰＨＩＣＨは、１つまたは複数の構成可能なシンボル期間において３つのＲＥＧを占有し得、それらは、周波数にわたって拡散され得る。例えば、ＰＨＩＣＨのための３つのＲＥＧはすべて、シンボル期間０に属し得、またはシンボル期間０、１および２において拡散され得る。ＰＤＣＣＨは、例えば、最初のＭ個のシンボル期間において、９、１８、３６、または７２個のＲＥＧを占有し得、それらは、利用可能なＲＥＧから選択され得る。ＲＥＧの特定の組み合わせのみが、ＰＤＣＣＨに対して許可され得る。
【００３８】
[0044]  ＵＥは、ＰＨＩＣＨおよびＰＣＦＩＣＨに使用される特定のＲＥＧを知り得る。ＵＥは、ＰＤＣＣＨのために、ＲＥＧの異なる組み合わせを探索し得る。探索する組み合わせの数は典型的に、ＰＤＣＣＨに対する許可された組み合わせの数よりも少ない。ｅＮＢは、ＵＥが探索するであろう組み合わせのいずれかにおいてＵＥにＰＤＣＣＨを送り得る。
【００３９】
[0045]  図２Ａは、ＬＴＥにおけるアップリンクのための例示的なフォーマット２００Ａを示す。本書で説明されるように、ｅＮＢは、アップリンク・サブフレーム内でコンテンション・ベースのアクセスのために１つまたは複数のＵＥのグループにアップリンク・リソース（uplink resource）のグループを割り当て得る。ｅＮＢは、リソースの割り当てられたグループに、少なくとも部分的に、基づいてサブフレームにおいてＵＥから受信されたアップリンク送信を復号し得る。
【００４０】
[0046]  アップリンクに対して利用可能なリソース・ブロックは、データ・セクション（data section）と制御セクション（control section）に分割され得る。制御セクションは、システム帯域幅の２つの端部に形成され得、設定可能な大きさを有し得る。制御セクションにおけるリソース・ブロックは、制御情報の送信のためにＵＥに割り当てられ得る。データ・セクションは、制御セクションに含まれないすべてのリソース・ブロックを含み得る。図２Ａにおける設計は、連続するサブキャリアを含むデータ・セクションをもたらし、それは、単一のＵＥが、データ・セクションにおいて連続するサブキャリアの全てを割り当てられることを可能にし得る。
【００４１】
[0047]  ＵＥは、ｅＮＢに制御情報を送信するために、制御セクションにおけるリソース・ブロックを割り当てられ得る。ＵＥはまた、ノードＢにデータを送信するために、データ・セクションにおいてリソース・ブロックに割り当てられ得る。ＵＥは、制御セクションにおいて割り当てられたリソース・ブロック上の物理アップリンク制御チャネル（ＰＵＣＣＨ：Physical Uplink Control Channel）２１０ａ、２１０ｂにおいて制御情報を送信し得る。ＵＥは、データ・セクションにおいて割り当てられたリソース・ブロック上での物理アップリンク共有チャネル（ＰＵＳＣＨ：Physical Uplink Shared Channel）２２０ａ、２２０ｂにおいてデータを、またはデータと制御情報との両方を送信し得る。アップリンク送信は、図２Ａに示されるように、サブフレームの両方のスロットにわたり得、周波数にわたってホッピングし得る。
【００４２】
[0048]  図３は、ワイヤレス通信ネットワーク１００におけるＵＥ１２０およびＢＳ／ｅＮＢ１１０の設計のブロック図を示す。特定の態様では、ＢＳ／ｅＮＢ１１０は、図１に示されているＢＳ／ｅＮＢのうちの１つであり得、ＵＥ１２０は、図１に示されているＵＥのうちの１つであり得る。本書で説明されるＵＥおよびＢＳ／ｅＮＢは、図３に示されているように１つまたは複数のモジュールを含み得る。ＢＳ／ｅＮＢ１１０は、図６に詳述されるように、および本書で説明される動作を実行するように構成され得る。
【００４３】
[0049]  制限的な関連するシナリオに関して、ｅＮＢ１１０は、図１においてマクロｅＮＢ１１０ｃであり得、ＵＥ１２０は、図１においてＵＥ１２０であり得る。ｅＮＢ１１０はまた、いくつかの他のタイプのＢＳであり得る。ｅＮＢ１１０は、Ｔ個のアンテナ３３４ａ乃至３３４ｔが装備され得、ＵＥ１２０は、Ｒ個のアンテナ３５２ａ乃至３５２ｒが装備され得、ここで、一般に、Ｔ≧１およびＲ≧１である。
【００４４】
[0050]  ｅＮＢ１１０において、送信プロセッサ３２０は、データ・ソース（data source）３１２からデータを、コントローラ／プロセッサ３４０から制御情報を受信し得る。制御情報は、ＰＢＣＨ、ＰＣＦＩＣＨ、ＰＨＩＣＨ、ＰＤＣＣＨなどに関わり得る。データは、ＰＤＳＣＨなどに関わり得る。送信プロセッサ３２０は、データと制御情報とを処理（たとえば、符号化およびシンボル・マッピング）して、それぞれデータ・シンボルと制御シンボルとを取得し得る。送信プロセッサ３２０はまた、例えば、ＰＳＳ、ＳＳＳ、およびセル固有の参照信号のための参照シンボルを生成し得る。送信（ＴＸ）多入力多出力（ＭＩＭＯ）プロセッサ３３０は、適用可能な場合、データ・シンボル、制御シンボル、および／または参照シンボルに対して空間処理（例えば、プリコーディング）を実行し得、Ｔ個の変調器（ＭＯＤ）３３２ａ乃至３３２ｔにＴ個の出力シンボル・ストリームを提供し得る。各変調器３３２は、出力サンプル・ストリームを取得するために（例えば、ＯＦＤＭなどのために）それぞれの出力シンボル・ストリームを処理し得る。各変調器３３２はさらに、ダウンリンク信号を取得するために、出力サンプル・ストリームを処理（例えば、アナログ変換、増幅、フィルタリング、およびアップコンバート）し得る。変調器３３２ａ乃至３３２ｔからのＴ個のダウンリンク信号は、それぞれ、Ｔ個のアンテナ３３４ａ乃至３３４ｔを介して送信され得る。
【００４５】
[0051]  ＵＥ１２０において、アンテナ３５２ａ乃至３５２ｒは、ｅＮＢ１１０からダウンリンク信号を受信し得、受信された信号を、それぞれ、復調器（ＤＥＭＯＤ）３５４ａ乃至３５４ｒに提供し得る。各復調器３５４は、入力サンプルを取得するために、それぞれの受信された信号を調整（例えば、フィルタリング、増幅、ダウンコンバート、およびデジタル化）し得る。各復調器３５４はさらに、受信されたシンボルを取得するために、（例えば、ＯＦＤＭなどのために）入力サンプルを処理し得る。ＭＩＭＯ検出器（detector）３５６は、すべてのＲ個の復調器３５４ａ乃至３５４ｒから受信されたシンボルを取得し、適用可能な場合、受信されたシンボルに対してＭＩＭＯ検出（detection）を実行し、検出されたシンボルを提供し得る。受信プロセッサ３５８は、検出されたシンボルを処理（例えば、復調、デインタリーブ、および復号）し、ＵＥ１２０に関わる復号されたデータをデータ・シンク３６０に提供し、復号された制御情報をコントローラ／プロセッサ３８０に提供し得る。
【００４６】
[0052]  アップリンクでは、ＵＥ１２０において、送信プロセッサ３６４は、データ・ソース３６２から（例えば、ＰＵＳＣＨに関わる）データを、およびコントローラ／プロセッサ３８０から（例えば、ＰＵＣＣＨに関わる）制御情報を、受信および処理し得る。送信プロセッサ３６４はまた、参照信号に関わる参照シンボルを生成し得る。送信プロセッサ３６４からのシンボルは、適用可能な場合にはＴＸ ＭＩＭＯプロセッサ３６６によってプリコーディングされ、さらに（例えば、ＳＣ−ＦＤＭなどのために）変調器３５４ａ乃至３５４ｒによって処理され、ｅＮＢ１１０に送信され得る。ｅＮＢ１１０において、ＵＥ１２０からのアップリンク信号は、アンテナ３３４によって受信され、復調器３３２によって処理され、適用可能な場合にはＭＩＭＯ検出器３３６によって検出され、受信プロセッサ３３８によってさらに処理されて、ＵＥ１２０によって送られた制御情報および復号されたデータを取得し得る。受信プロセッサ３３８は、復号されたデータをデータ・シンク３３９に、復号された制御情報をコントローラ／プロセッサ３４０に提供し得る。
【００４７】
[0053]  コントローラ／プロセッサ３４０、３８０は、それぞれ、ｅＮＢ１１０およびＵＥ１２０における動作を指示し得る。ＢＳ／ｅＮＢ１１０におけるコントローラ／プロセッサ３４０、および／または他のプロセッサおよびモジュールは、図６を参照して以下に説明される動作、および／または本書に説明される技術に関わる他のプロセスを、実行または指示し得る。メモリ３４２は、ｅＮＢ１１０に関わるデータおよびプログラム・コードを記憶し得る。メモリ３８２は、ＵＥ１２０のためのデータおよびプログラム・コードを記憶し得る。スケジューラ３４４は、１つまたは複数のＵＥの異なるグループにアップリンク・サブフレーム内でリソースのグループを割り当て、および／またはスケジュールし得る。１つまたは複数のアンテナ３３４および復調器／変調器３３２は、リソースの割り当てられたグループに少なくとも部分的に基づいて、ＵＥから受信されたＵＬ送信を復号し、ＵＥの少なくとも１つからのアップリンク送信においてバッファ・ステータス・レポート（ＢＳＲ：buffer status report）を受信し、および／またはＵＬ許可を送信し得る。
【００４８】
[0054]  特定の態様に従えば、ＵＥまたはｅＮＢは、低レイテンシ（low latency）（「ＬＬ」または超低レイテンシ（ultra low latency）「ＵＬＬ」）性能（capability）をサポートし得る。ここで使用されているように、超低レイテンシ性能という用語は、一般的に、（例えばいわゆる「レガシ（legacy）」デバイスのように）性能を欠いているデバイスと比較して低レイテンシで特定の手順を実行する性能を指す。１つの実装では、ＵＬＬ性能は、（従来のＬＴＥサブフレーム持続時間に対応する０．１ｍｓまたは２０μｓの）約０．１ｍｓあるいはそれ以下（例えば２０μｓ）の送信時間インターバル（ＴＴＩ：transmission time interval）期間をサポートする能力（ability）を指し得る。しかしながら、他の実装では、ＵＬＬ性能は、他の低レイテンシ期間を指し得ることが、留意されるべきである。ＬＬまたはＵＬＬが考慮されるＴＴＩのいくつかの例は、１つのスロットにわたるＴＴＩ（TTI spanning one slot）（サブフレームの１／２）、１つのシンボルにわたるＴＴＩ（TTI spanning one symbol）（サブフレームの１／１４ｔｈ）、またはサブフレームの１／１０ｔｈにわたるＴＴＩを含む。
【００４９】
[0055]  上述の通り、現在のＬＴＥネットワークでは、ＵＥは、ｅＮＢにアップリンク・データを送信する前にＲＡＣＨにおけるメッセージまたはＳＲを送信する。これに応答して、ｅＮＢは、ＵＥにアップリンク許可を送信し、ＵＥは、受信された許可にしたがってアップリンク・データを送信する。したがって、アップリンク送信における遅延は、例えば、（例えば周期性（periodicity）に依存して）ＳＲ遅延、アップリンク許可を受信する時間、アップリンク・データを送信する時間を含み得る。本開示の態様は、この遅延を減じる。
【００５０】
[0056]  （例えばＰＵＳＣＨにおける）コンテンション・ベースのアップリンク・アクセスに関して、ｅＮＢは、多数のＵＥに持続性のアップリンク（ＰＵＳＣＨ）割り当てを提供し得る。例えば、多数のＵＥは、割り当てられた重複するリソースであり得る。ＵＥは、これらの事前に割り当てられたリソースにしたがってアップリンク・チャネルにおいて直接送信し得る。
【００５１】
[0057]  コンテンション・ベースのチャネル・アクセスに関わるいくつかの留意事項が存在する。例えば、ｅＮＢは、どのようにアップリンク・リソースがＵＥに割り当てられるかを制御し得る。ｅＮＢは、ＵＥの各々に正確なリソース（exact resource）を事前に割り当てる。ｅＮＢは、同じ時間周波数のリソースを共有する異なるユーザをオーバーロード（overload）し得る。コンテンション・ベースのアップリンク・アクセスに関して、ＵＥは、それがデータを有するときに送信し得る。ＵＥが送信するアップリンク・データを有していないとき、ＵＥは、節電モード（例えば、不連続送信（ＤＴＸ：discontinuous transmission）、スリープモード（sleep mode）、アイドリング・モード（idle mode）など）に入り得る。
【００５２】
[0058]  別の例にしたがって、コンテンション・ベースのアップリンク・アクセスに関して、ｅＮＢは、正確なリソースとは対照的に、リソースの領域をＵＥに割り当て得る。これに応答して、各ＵＥは、アップリンク送信に使用するために割り当てられた領域内でリソースをランダムに選択し得る。
【００５３】
[0059]  アップリンク送信を復号するために、ｅＮＢは、異なるＵＥから受信された送信を分離する必要があり得る。ＰＵＳＣＨ上で送信されたデータは、異なるセル・ラジオ・ネットワーク・テンポラリー・アイデンティティ（Ｃ−ＲＮＴＩ：cell radio network temporary identity）ベースのスクランブリング（scrambling）を有し得る。さらに、または別の方法として、ユーザは復調参照信号（ＤＭＲＳ）に関わる異なるシーケンスおよび／またはシフトを使用し得る。シーケンスまたはシフトは、ＵＥに割り当てられ得、または、例えばＵＥによって、ランダムに選択され得る。さらに、または別の方法として、異なるＵＥからの送信は、空間的分離（spatial separation）（例えば多重アンテナ処理）を使用して分離され得る。
【００５４】
[0060]  本書に説明されるように、干渉除去（interference cancellation）を備えた、ｅＮＢにおける、高度なレシーバ処理は、異なるＵＥから受信されたコンテンション・ベースの送信を分離するために使用され得る。さらに、符号分割多重（ＣＤＭ）またはウォルシュ（Ｗａｌｓｈ）は、異なる送信時間インターバル（ＴＴＩ）にわたってＤＭＲＳおよび／またはＰＵＳＣＨに適用され得る。この方法で、ＵＥは、コンテンション・ベースの送信シナリオにおいて直交符号（orthogonal code）によって分離され得る。
【００５５】
[0061]  図４は、本開示の複数の態様にしたがって、減じられたＴＴＩで、コリジョン防止（collision avoidance）を備えるサブフレームの例４００を示す。サブフレーム４００の２つのスロット、スロット０およびスロット１、が示されている。慣例的に、単独のユーザは、４０２および４０４で示されているように、両方のアップリンク・スロットに割り当てられ得る。
【００５６】
[0062]  本開示の複数の態様にしたがって、ｅＮＢは、サブフレーム未満の持続時間を有するＴＴＩに対応するリソースを、ＵＥのグループに、割り当て得る。例えば、ＵＥのグループは、リソース４０６の少なくとも１つのグループに割り当てられ得、それは、サブフレーム未満である。ＵＥの別のグループ（another group）は、リソース４０８の少なくとも１つのグループに割り当てられ得、それもまたサブフレーム未満である。
【００５７】
[0063]  複数の態様にしたがって、ＴＴＩは、サブフレームの１つのタイム・スロット未満の持続時間を有し得る。例えば、ＵＥのグループは、リソース４１０の少なくとも１つのグループに割り当てられ得、それは、サブフレームの１つのスロット未満である。他のＴＴＩ４１２、４１４および４１６は、それらもまたサブフレームの１つのスロット未満の持続時間を有し、１つまたは複数のＵＥの異なるグループに割り当てられ得る。複数の態様に従えば、減じられたＴＴＩ（例えば、１つのサブフレーム未満のＴＴＩ）持続時間は、より小さいＴＴＩに適合する程度の小さい送信用パケットを備えたＵＥのために使用され得る。例えば、定量の（metered）マシン・タイプの通信（ＭＴＣ：machine-type communication）ＵＥは、減じられたＴＴＩ持続時間に割り当てられ得る。ＭＴＣ ＵＥは、ＢＳ／ｅＮＢ、別の遠隔デバイス、または何らかの他のエンティティと通信し得る。マシン・タイプの通信は、必ずしも人間の対話（interaction）を必要としない１つまたは複数のエンティティを含み得る。ＭＴＣデバイスの例は、さまざまなワイヤレス・センサ、モニタ、検出器、メータ、または一回の充電で複数年にわたって（場合によっては無人で）動作することが期待され得る他のタイプのデータ監視デバイス、生成デバイス、または中継デバイスを含む。ＭＴＣデバイスはまた、ドローン、ロボット、および自動化されたまたは自主的なデバイスの他の形態を含み得る。ＭＴＣ ＵＥは、物のセルラ式インターネット（ＣＩＯＴ：Cellular Internet of Things）において動作し得、これによってＵＥは、データを収集および送信し得る。
【００５８】
[0064]  複数の態様にしたがって、減じられたＴＴＩ持続時間は、小さいパケットのデータ（例えばＭＴＣデータ）とともにバッファ・ステータス・レポート（ＢＳＲ）を送信するためにＵＥに割り当てられ得る。ｅＮＢは、ＢＳＲに、少なくとも部分的に、基づいて次のアップリンク送信のための１つまたは複数の許可を提供し得る。
【００５９】
[0065]  複数の態様にしたがって、コンテンション・ベースのアップリンク・アクセスにおけるアップリンク・コリジョンを防ぐために、マルチ・ユーザ検出（ＭＵＤ：multi-user detection）レシーバを備えたｅＮＢは、アップリンク・チャネル（例えばＰＵＳＣＨ）上で重複して割り当てられたリソースおよびＤＭＲＳに関わる異なるルート・シーケンス（root sequence）および／または異なる循環シフト（cyclic shift）をＵＥに与え得る。
【００６０】
[0066]  ＵＥが送信するためのＵＬデータを有するとき、ＵＥは、割り当てられたシフトおよび／またはルート・シーケンスを使用して、それの持続的な割り当てにしたがって、アップリンク・チャネル上で送信し得る。ＵＥは、ＵＬデータを有していないとき、送信をやめ得る。
【００６１】
[0067]  ｅＮＢは、受信されたＤＭＲＳを使用してユーザを分離し得、ｅＮＢレシーバにおいて干渉除去を備えたアップリンク・チャネル（例えばＰＵＳＣＨ）を復号することを試み得る。例えば、ｅＮＢは、異なる割り当てられたルート・シーケンスおよび／または割り当てられた循環シフトを使用して、異なるＵＥを識別し、コンテンション・ベースのアップリンク送信を分離し得る。この方法で、複数の態様にしたがって、減じられたシフトはコンテンション・ベースのアップリンク送信を復号するｅＮＢの能力を増大させるために追加の次元（dimension）を提供する。
【００６２】
[0068]  図５は、本開示の複数の態様にしたがって、コリジョン防止５００の一例を示す。５０２ａは、ＵＥのグループ内のＵＥのためのユーザ割り当て（user assignment）の例を示す。５０２ｂは、５０２ａに示されているような割り当てを備えたユーザによる実際のアップリンク送信の例を示す。
【００６３】
[0069]  上述のように、ＵＥの異なるグループは、リソースの異なるグループが割り当てられ得る。ＵＥのグループ内の各ＵＥは、５０２ａに示されているように、循環シフトおよび／またはルート・シーケンスが割り当てられ得る。例えば、５０４ａに示されているように、グループの２ユーザは、各々、２つの斜線部分の領域によって示されている、異なる循環シフトおよび／または異なるルート・シーケンスが割り当てられ得る。５０６ａに示されているように、ＵＥの別のグループの３ユーザは、３つの斜線部分の領域によって示されているように、異なる循環シフトおよび／または異なるルート・シーケンスが割り当てられ得る。同様に、４、６、および１２ユーザのグループは、それぞれ、５０８ａ、５１０ａ、および５１２ａで示されるように異なる循環シフトがおよび／または異なるルート・シーケンス各々割り当てられ得る。
【００６４】
[0070]  ＵＥのグループのＵＥによるアップリンク送信の例が５０２ｂに示されている。５０４ｂにおいて、（例えば５０４ａにおける）２個のユーザのグループのただ１個のユーザが、単一の斜線部分の領域によって示されているように、割り当てられた循環シフトおよび／またはルート・シーケンスを使用して送信した。５０６ｂにおいて、１つのグループの３個のユーザが異なる循環シフトおよび／または異なるルート・シーケンスを各々割り当てられているのに対し（例えば５０６ａ）、２つの斜線部分の領域によって示されているただ２個のユーザが、割り当てられた循環シフトおよび／または異なるルート・シーケンスを使用して送信した。同様に、４、６、および１２個のユーザは、５０８ａ、５１０ａ、および５１２ａにおいて示されているように異なる循環シフトおよび／または異なるルート・シーケンスが各々割り当てられているのに対し、ただ２、３、５個のユーザが、それぞれ、５０２ｂにおける５１２ｂの５つの斜線部分の領域、５１０ｂの３つの斜線部分の領域、および５０８ｂの対応する２つの斜線部分の領域によって示されているように、実際に送信した。上述のように、コンテンション・ベースのアップリンク送信を受信するｅＮＢは、受信されたアップリンク送信のシーケンスおよび／またはシフトを使用してユーザを分離することを試み得る。
【００６５】
[0071]  上述のように、ｅＮＢにおけるコリジョン処理（collision handling）は、従来の手段と比較してレイテンシを増大させないように、コンテンション・ベースのアップリンク・チャネル・アクセスにおいて重要である。言い換えると、ｅＮＢが少なくとも１つのアップリンク送信から検出されたＤＭＲＳを成功裏に復号しないとき、ＵＥがＳＲを送信し、ＳＲに応答してアップリンク許可受信し、および受信された許可にしたがってデータを送信した場合よりレイテンシが悪くならないように、コリジョン処理を有することが望ましい。
【００６６】
[0072]  本開示の複数の態様に従えば、ｅＮＢは、復号が失敗であるとき送信ＵＥを識別するためにレシーバ処理およびＤＭＲＳ設計に依存し得る。例えば、ｅＮＢは、各ＵＥのための固有のシーケンス（ルートおよび／または循環シフト・シーケンス）を構成し得る。ｅＮＢは、アップリンク・チャネルを復号し且つＵＥの送信の存在を検出するとき、それは、送信を承認し、および／または受信されたＢＳＲに依存してさらなるリソースを割り当て得る。
【００６７】
[0073]  ｅＮＢが、例えばＵＥのＤＭＲＳの検出に基づいて、アップリンク・チャネル（uplink channel）を復号することができないとき、ｅＮＢは成功裏に受信されなかったアップリンク送信を送信したＵＥを識別し、識別されたＵＥへのアップリンク割り当て（uplink assignment）を送信し得る。かくして、コリジョンがサブフレーム内のコンテンション・ベースのアップリンク・チャネルにおいて生じるとき、ｅＮＢは、成功裏に復号されなかったアップリンク送信を送信したユーザを識別するためにコリジョン処理技術を使用し得る。ｅＮＢは、次に、識別されたユーザにアップリンク許可を送信し得る。この方法で、本開示の態様は、コンテンション・ベースのアップリンク・チャネル・アクセスに関わる技術を提供し、ここにおいてレイテンシは、従来の手段よりも悪くはならない。
【００６８】
[0074]  さらに、ＤＭＲＳ設計は、より優れたＵＥ識別のために改良され得る。例えば、より多くのＤＭＲＳシンボルが使用され得、および／またはさらなるルート・シーケンスが使用され得る。さらにまたは別の方法で、ｅＮＢは、コリジョンが頻繁に生じる場合、ユーザに異なるリソースを割り当て得る。
【００６９】
[0075]  上述のように、ユーザは、検出されたＤＭＲＳおよび割り当てられたルートおよび／またはシフト・シーケンスに、少なくとも部分的に、基づいてコンテンション・ベースのアップリンク・アクセスにおいて識別され得る。ｅＮＢは、別のＵＥから受信されたアップリンク送信を復号するために少なくとも１つのＵＥから受信されたアップリンク送信の部分的な復号（partial decoding）に基づいた干渉除去を実行し得る。干渉除去によって、ｅＮＢは、何のＵＥが何のリソースを割り当てられるかの知識を有し得、それは、復調パフォーマンス（demodulation performance）を改良し得、および、コンテンション・ベースのアップリンク・チャネル・アクセスのためにより多くのユーザをサポートし得る。複数の態様にしたがって、干渉除去は、異なる符号化速度（coding rates）／異なる速度分配（rate distribution）（例えば速度域（rate region）にしたがって）、ＨＡＲＱターミネーション・ターゲット（termination target）、ＨＡＲＱプロセスにおける再送の数（number of retransmissions）、および／またはトラフィック・ニーズ（traffic needs）で、ユーザと動作し得る。かくして、ｅＮＢは、これらのファクタの少なくとも１つを考慮に入れてＵＥの異なるグループにリソースの異なるグループを割り当て得る。
【００７０】
[0076]  図６は、本開示の複数の態様にしたがって、図３に示されているｅＮＢ１１０の１つまたは複数のコンポーネントを備えた図１のｅＮＢ１１０のようなｅＮＢによって実行される動作６００の例を示す。例えば、変調器／復調器３３２、アンテナ３３４、スケジュール３４４、１つまたは複数のコントローラ／プロセッサ３４０、およびメモリ３４２は、本書に説明される方法および図６の動作を実行し得る。
【００７１】
[0077]  ６０２において、ｅＮＢは、１つまたは複数のＵＥの異なるグループに、アップリンク・サブフレーム内で、リソースの異なるグループを割り当て得る。各ＵＥは、アップリンク・サブフレーム内でコンテンション・ベースのアクセスのために割り当てられたグループからリソースを選択し得る。
【００７２】
[0078]  ６０４において、ｅＮＢは、リソースの割り当てられたグループに、少なくとも部分的に、基づいてサブフレームにおけるＵＥから受信されたアップリンク送信を復号し得る。
【００７３】
[0079]  図４を参照して説明されるように、ｅＮＢは、サブフレーム４００未満の持続時間のＴＴＩに対応するリソースの少なくとも１つのグループを、１つまたは複数のＵＥのグループに、割り当て得る。複数の態様にしたがって、ＴＴＩは、サブフレームの１つのタイム・スロット未満の持続時間を有し得る。
【００７４】
[0080]  図５を参照して説明されるように、ｅＮＢは、ＵＥのグループ内で各ＵＥに異なる循環シフトまたはルート・シーケンスを割り当て得る。ｅＮＢは、異なる循環シフトまたはルート・シーケンスを使用して異なるＵＥを区別する（distinguish）ことによってアップリンク送信を復号し得る。さらに、ｅＮＢは、別のＵＥからのアップリンク送信を復号するために、区別されたＵＥの少なくとも１つからのアップリンク送信に、少なくとも部分的に、基づいて、干渉除去を実行し得る。
【００７５】
[0081]  ここに説明されるように、ｅＮＢは、一般に、干渉除去を実行することによってサブフレームにおいてＵＥから受信されたアップリンク送信を復号する。干渉除去は、別のＵＥからのアップリンク送信を復号するために、少なくとも１つのＵＥから受信されたアップリンク送信の部分的な復号に、少なくとも、基づいている。さらに、ｅＮＢは、一般に、異なるＵＥのトラフィック・ニーズまたは符号化速度のうちの少なくとも１つに基づいてＵＥの異なるグループにリソースの異なるグループを割り当て得る。
【００７６】
[0082]  上述のように、本開示の態様は、ＲＲＣ接続モードにおいてＵＥに関わるレイテンシ低減（latency reduction）を提供する。サブフレーム内のＵＥのグループによるコンテンション・ベースのアップリンク・アクセスの間、ｅＮＢは、送信のために使用されるリソースに、少なくとも部分的に、基づいて受信されたアップリンク送信を復号し得る。さらに、ｅＮＢがアップリンク送信を成功裏に復号できないとき、ｅＮＢは、例えば検出された参照信号（reference signal）に基づいてアップリンク送信を送信したＵＥを識別し得、識別されたＵＥにアップリンク割り当てを送信し得る。このようなコリジョン処理（collision handling）を使用して、レイテンシは、従来の手段より悪くはならない。
【００７７】
[0083]  上述した方法のさまざまな動作は、対応する機能を実行することができる任意の適切な手段によって実行され得る。その手段は、さまざまなハードウェア、および／または、ソフトウェア／ファームウェア・コンポーネント、および／またはモジュールを含み、回路、特定用途向け集積回路（ＡＳＩＣ）、またはプロセッサ（例えば、コントローラ／プロセッサ３４０、送信プロセッサ３２０、送信ＭＩＭＯプロセッサ３３０、受信プロセッサ３３８、変調器／復調器３３２、アンテナ３３４、コントローラ／プロセッサ３８０、送信プロセッサ３６４、送信ＭＩＭＯプロセッサ３６６、ＭＩＭＯ検出器３５６、受信プロセッサ３５８、変調器／復調器３５４、アンテナ３５２）を含むが、これらに限定されない。
【００７８】
[0084]  当業者は、情報および信号が、さまざまな異なる技術および技法のうちのいずれかを使用して表され得ることを理解するであろう。例えば、上記の説明にわたって参照され得るデータ、命令、コマンド、情報、信号、ビット、シンボル、およびチップは、電圧、電流、電磁波、磁界または磁気粒子、光場または光学粒子、またはこれらの任意の組合せによって示され得る。
【００７９】
[0085]  当業者はさらに、本明細書の開示に関連して説明されたさまざまな例示的な論理ブロック、モジュール、回路、およびアルゴリズム・ステップが、電子ハードウェア、ソフトウェア／ファームウェア、または両方の組み合わせとして実装され得ることを理解するであろう。ハードウェアとソフトウェア／ファームウェアとのこの互換性を明確に例示するために、さまざまな例示的なコンポーネント、ブロック、モジュール、回路、およびステップが、概してそれらの機能の観点から上述されてきた。このような機能が、ハードウェアとして実装されるか、またはソフトウェア／ファームウェアとして実装されるかは、特定のアプリケーションおよびシステム全体に課せられる設計制約に依存する。精通した当業者は、各特定のアプリケーションのためにさまざまな方法で説明された機能性を実装し得るが、このような実装の決定は、本開示の範囲からの逸脱を招くとして解釈されるべきではない。
【００８０】
[0086]  ここでの本開示に関連して説明されるさまざまな例示的な論理ブロック、モジュール、および回路は、汎用プロセッサ、デジタル信号プロセッサ（ＤＳＰ）、特定用途向け集積回路（ＡＳＩＣ）、フィールド・プログラマブル・ゲート・アレー（ＦＰＧＡ）、または他のプログラマブル・ロジック・デバイス、離散ゲート、またはトランジスタ・ロジック、離散ハードウェア・コンポーネント、またはここに説明されている機能を実行するように設計されているこれらの任意の組合せによって実装されまたは実行され得る。汎用プロセッサは、マイクロプロセッサであり得るが、別の方法でプロセッサは、任意の従来のプロセッサ、コントローラ、マイクロコントローラ、またはステート・マシンであり得る。プロセッサはまた、複数のコンピューティング・デバイスの組合せ、例えば、ＤＳＰおよびマイクロプロセッサの組合せ、複数のマイクロプロセッサ、ＤＳＰコアと連結されている１つまたは複数のマイクロプロセッサ、またはその他任意のこのような構成として、実装（implement）され得る。
【００８１】
[0087]  本明細書の開示に関連して説明された方法またはアルゴリズムのステップは、ハードウェアで直接的に、プロセッサによって実行されるソフトウェア／ファームウェア・モジュールで、またはその２つの組み合わせで、具現化され得る。ソフトウェア／ファームウェア・モジュールは、ＲＡＭメモリ、フラッシュ・メモリ、相変化メモリ（ＰＣＭ：phase change memory）、ＲＯＭメモリ、ＥＰＲＯＭメモリ、ＥＥＰＲＯＭ（登録商標）メモリ、レジスタ、ハード・ディスク、リムーバブル・ディスク、ＣＤ-ＲＯＭ、または本分野で知られているその他任意の形態の記憶媒体（storage medium）において存在し得る。例示的な記憶媒体は、プロセッサが、記憶媒体から情報を読み取り、および／または記憶媒体に情報を書き込むことができるようにプロセッサに結合される。代替において、記憶媒体はプロセッサに一体化され得る。プロセッサおよび記憶媒体は、ＡＳＩＣ中に存在し得る。ＡＳＩＣは、ユーザ端末中に存在し得る。別の方法では、プロセッサおよび記憶媒体は、ユーザ端末において離散コンポーネントとして存在し得る。
【００８２】
[0088]  １つまたは複数の例示的な設計では、説明されている機能が、ハードウェア、ソフトウェア／ファームウェア、またはこれらの組合せにおいて実装され得る。ソフトウェア／ファームウェア内で実現される場合、機能は、コンピュータ可読媒体上の１つまたは複数の命令またはコードとして記憶または送信され得る。コンピュータ可読媒体は、１つの場所から他の場所へのコンピュータ・プログラムの伝送を容易にする任意の媒体を含む、通信媒体およびコンピュータ記憶媒体の両方を含む。記憶媒体は、汎用または専用コンピュータによってアクセスされることができる任意の入手可能な媒体であり得る。限定ではなく例として、そのようなコンピュータ可読媒体は、ＲＡＭ、ＲＯＭ、フラッシュ・メモリ、ＰＣＭ、ＥＥＰＲＯＭ、ＣＤ−ＲＯＭまたは他の光ディスク・ストレージ、磁気ディスク・ストレージまたは他の磁気ストレージ・デバイス、あるいは命令またはデータ構造の形態の所望のプログラム・コード手段を搬送または記憶するために使用されることができ、汎用もしくは専用コンピュータ、または汎用もしくは専用プロセッサによってアクセスされることができる、任意の他の媒体を備えることができる。また、任意の接続は、コンピュータ可読媒体と適切に称される。例えば、ソフトウェア／ファームウェアが、ウェブサイト、サーバから、または、同軸ケーブル、光ファイバー・ケーブル、ツイスト・ペア、デジタル加入者回線（ＤＳＬ）、または、赤外線の、無線の、およびマイクロ波のようなワイヤレス技術を使用して他の遠隔ソースから、送信される場合、そのとき同軸ケーブル、光ファイバー・ケーブル、ツイスト・ペア、ＤＳＬ、または、赤外線の、無線の、およびマイクロ波のようなワイヤレス技術は、媒体の定義に含まれる。ここで使用されているようなディスク（disk）およびディスク（disc）は、コンパクト・ディスク（ＣＤ：compact disc)、レーザ・ディスク、光ディスク、デジタル多用途ディスク（ＤＶＤ：digital versatile disc)、フロッピー（登録商標）・ディスク（登録商標）、およびブルーレイ・ディスク（登録商標）を含み、ディスク（disk）は通例磁気的にデータを再生し、これに対してディスク（disc）は、レーザを用いて光学的にデータを再生する。上記の組合せもまた、コンピュータ可読媒体の範囲内に含まれるべきである。
【００８３】
[0089]  本明細書で使用される場合、項目のリスト「のうちの少なくとも１つ」というフレーズは、単一の要素を含む、それらのアイテムの任意の組み合わせを指す。例として、「ａ、ｂ、またはｃのうちの少なくとも１つ」は、ａ、ｂ、ｃ、ａ−ｂ、ａ−ｃ、ｂ−ｃ、およびａ−ｂ−ｃをカバーするように意図される。
【００８４】
［0090］  本開示の前述の説明は、当業者の誰もが本開示を使用および生成することを可能にするために、提供されている。本開示に対するさまざまな変更は、当業者には容易に理解されるものであり、ここに定義される一般的な原則は、本開示の範囲または精神を逸脱することなく、他の変形にも適用され得る。かくして、本開示は、本明細書で説明される例および設計に限定されるように意図されたものではなく、本明細書で開示された原理および新規の特徴と一貫する最大範囲が与えられるべきである。
【図１】
2020025276.tif 000003
【図２】
2020025276.tif 000004
【図２Ａ】
2020025276.tif 000005
【図３】
2020025276.tif 000006
【図４】
2020025276.tif 000007
【図５】
2020025276.tif 000008
【図６】
2020025276.tif 000009
【手続補正書】
【提出日】令和1年10月25日(2019.10.25)
【手続補正１】
【補正対象書類名】特許請求の範囲
【補正対象項目名】全文
【補正方法】変更
【補正の内容】
【特許請求の範囲】
【請求項１】
ユーザ機器（ＵＥ）によるワイヤレス通信のための方法であって、
前記ＵＥを含むＵＥのグループに、アップリンク・サブフレーム内で、リソースのグループを割り当てる割り当てを受信することと、
前記ＵＥによって、前記アップリンク・サブフレーム内でコンテンション・ベースのアクセスのためにその割り当てられたリソースのグループからリソースを選択することと、
リソースの前記選択されたグループに少なくとも部分的に基づいて、前記サブフレームにおいて、アップリンク送信を基地局（ＢＳ）に送信することと、ここにおいて、前記アップリンク送信は、復調参照信号（ＤＭＲＳ）を備え、
前記アップリンク送信に応答して、アップリンク割り当てを受信することと、
前記アップリンク割り当てを使用して、次のアップリンク送信を送信することと
を備える方法。
【請求項２】
前記割り当ては、サブフレーム未満の持続時間を有する送信時間インターバル（ＴＴＩ）に対応するリソースのグループを備える、請求項１に記載の方法。
【請求項３】
前記ＴＴＩは、前記サブフレームの１つのタイム・スロット未満の持続時間を有する、請求項２に記載の方法。
【請求項４】
前記アップリンク送信は、バッファ・ステータス・レポート（ＢＳＲ）をさらに備える、請求項２に記載の方法。
【請求項５】
前記リソースのグループは、前記ＵＥのグループ内の各ＵＥに割り当てられた異なる直交符号を備える、請求項１に記載の方法。
【請求項６】
前記リソースのグループは、前記ＵＥのグループ内の各ＵＥに割り当てられた異なる循環シフトまたはルート・シーケンスを備える、請求項１に記載の方法。
【請求項７】
前記ＵＥは、マシン・タイプの通信（ＭＴＣ）ＵＥを備える、請求項１に記載の方法。
【請求項８】
ユーザ機器（ＵＥ）によるワイヤレス通信のための装置であって、少なくとも１つのプロセッサと、前記少なくとも１つのプロセッサに結合されたメモリとを備え、ここにおいて、前記少なくとも１つのプロセッサは、
前記ＵＥを含むＵＥのグループに、アップリンク・サブフレーム内で、リソースのグループを割り当てる割り当てを受信することと、
前記ＵＥによって、前記アップリンク・サブフレーム内でコンテンション・ベースのアクセスのためにその割り当てられたリソースのグループからリソースを選択することと、
リソースの前記選択されたグループに少なくとも部分的に基づいて、前記サブフレームにおいて、アップリンク送信を基地局（ＢＳ）に送信することと、ここにおいて、前記アップリンク送信は、復調参照信号（ＤＭＲＳ）を備え、
前記アップリンク送信に応答して、アップリンク割り当てを受信することと、
前記アップリンク割り当てを使用して、次のアップリンク送信を送信することと
を行うように構成される、装置。
【請求項９】
前記割り当ては、サブフレーム未満の持続時間を有する送信時間インターバル（ＴＴＩ）に対応するリソースのグループを備える、請求項８に記載の装置。
【請求項１０】
前記ＴＴＩは、前記サブフレームの１つのタイム・スロット未満の持続時間を有する、請求項９に記載の装置。
【請求項１１】
前記アップリンク送信は、バッファ・ステータス・レポート（ＢＳＲ）をさらに備える、請求項９に記載の装置。
【請求項１２】
前記リソースのグループは、前記ＵＥのグループ内の各ＵＥに割り当てられた異なる直交符号を備える、請求項８に記載の装置。
【請求項１３】
前記リソースのグループは、前記ＵＥのグループ内の各ＵＥに割り当てられた異なる循環シフトまたはルート・シーケンスを備える、請求項８に記載の装置。
【請求項１４】
前記ＵＥは、マシン・タイプの通信（ＭＴＣ）ＵＥを備える、請求項８に記載の装置。
【請求項１５】
ユーザ機器（ＵＥ）によるワイヤレス通信のための装置であって、
前記ＵＥを含むＵＥのグループに、アップリンク・サブフレーム内で、リソースのグループを割り当てる割り当てを受信するための手段と、
前記ＵＥによって、前記アップリンク・サブフレーム内でコンテンション・ベースのアクセスのためにその割り当てられたリソースのグループからリソースを選択するための手段と、
リソースの前記選択されたグループに少なくとも部分的に基づいて、前記サブフレームにおいて、アップリンク送信を基地局（ＢＳ）に送信するための手段と、ここにおいて、前記アップリンク送信は、復調参照信号（ＤＭＲＳ）を備え、
前記アップリンク送信に応答して、アップリンク割り当てを受信するための手段と、
前記アップリンク割り当てを使用して、次のアップリンク送信を送信するための手段と
を備える装置。
【請求項１６】
前記割り当ては、サブフレーム未満の持続時間を有する送信時間インターバル（ＴＴＩ）に対応するリソースのグループを備える、請求項１５に記載の装置。
【請求項１７】
前記ＴＴＩは、前記サブフレームの１つのタイム・スロット未満の持続時間を有する、請求項１６に記載の装置。
【請求項１８】
前記アップリンク送信は、バッファ・ステータス・レポート（ＢＳＲ）をさらに備える、請求項１６に記載の装置。
【請求項１９】
前記リソースのグループは、前記ＵＥのグループ内の各ＵＥに割り当てられた異なる直交符号を備える、請求項１５に記載の装置。
【請求項２０】
前記リソースのグループは、前記ＵＥのグループ内の各ＵＥに割り当てられた異なる循環シフトまたはルート・シーケンスを備える、請求項１５に記載の装置。
【手続補正２】
【補正対象書類名】明細書
【補正対象項目名】００８４
【補正方法】変更
【補正の内容】
【００８４】
［0090］  本開示の前述の説明は、当業者の誰もが本開示を使用および生成することを可能にするために、提供されている。本開示に対するさまざまな変更は、当業者には容易に理解されるものであり、ここに定義される一般的な原則は、本開示の範囲または精神を逸脱することなく、他の変形にも適用され得る。かくして、本開示は、本明細書で説明される例および設計に限定されるように意図されたものではなく、本明細書で開示された原理および新規の特徴と一貫する最大範囲が与えられるべきである。
以下に本願の出願当初の特許請求の範囲に記載された発明を付記する。
［Ｃ１］  発展型ノードＢ（ｅＮＢ）によるワイヤレス通信のための方法であって、
１つまたは複数のユーザ機器（ＵＥ）の異なるグループに、アップリンク・サブフレーム内で、リソースの異なるグループを割り当てることと、ここにおいて、各ＵＥは前記アップリンク・サブフレーム内でコンテンション・ベースのアクセスのためにその割り当てられたグループからリソースを選択する、
リソースの前記割り当てられたグループに、少なくとも部分的に、基づいて前記アップリンク・サブフレームにおいて前記ＵＥから受信されたアップリンク送信を復号することと、を備える方法。
［Ｃ２］  前記割り当てることは、
サブフレーム未満の持続時間の送信時間インターバル（ＴＴＩ）に対応するリソースの少なくとも１つのグループを、１つまたは複数のＵＥのグループに、割り当てることを備える、Ｃ１に記載の方法。
［Ｃ３］  前記ＴＴＩは、サブフレームの１つの時間スロット未満の持続時間を有する、Ｃ２に記載の方法。
［Ｃ４］  前記ＵＥの少なくとも１つからのアップリンク送信においてバッファ・ステータス・レポート（ＢＳＲ）を受信することと、
前記ＵＥの少なくとも１つからの次の送信のために、前記ＢＳＲに応答して、アップリンク許可を送信することと、をさらに備えるＣ２に記載の方法。
［Ｃ５］  前記割り当てることは、グループ内の各ＵＥに異なる直交符号を割り当てることを備え、および、
前記復号することは、前記直交符号を使用して異なるＵＥを区別することを備える、Ｃ１に記載の方法。
［Ｃ６］  前記復号することは、
別のＵＥからのアップリンク送信を復号するために、前記区別されたＵＥのうちの少なくとも１つからのアップリンク送信に基づいて、干渉除去を実行することを備える、Ｃ５に記載の方法。
［Ｃ７］  前記割り当てることは、１つのグループ内の各ＵＥに異なる循環シフトまたはルート・シーケンスを割り当てることを備え、および、
前記復号することは、前記異なる循環シフトまたはルート・シーケンスを使用して異なるＵＥを区別することを備える、Ｃ１に記載の方法。
［Ｃ８］  前記復号することは、
別のＵＥからのアップリンク送信を復号するために、前記区別されたＵＥのうちの少なくとも１つからのアップリンク送信に基づいて、干渉除去を実行することを備える、Ｃ７に記載の方法。
［Ｃ９］  前記復号することは、
成功裏に復号されない少なくとも１つのアップリンク送信から復調参照信号（ＤＭＲＳ）を検出することと、
前記検出されたＤＭＳＲに基づいて前記アップリンク送信を送信したＵＥを識別することと、および、
前記識別されたＵＥにアップリンク割り当てを送信することと、を備える、Ｃ１に記載の方法。
［Ｃ１０］  前記復号することは、
別のＵＥからのアップリンク送信を復号するために、少なくとも１つのＵＥからのアップリンク送信の少なくとも部分的な復号に基づいて、干渉除去を実行することを備える、Ｃ１に記載の方法。
［Ｃ１１］  前記割り当てることは、
符号化速度、ハイブリッド自動再送要求（ＨＡＲＱ）ターミネーション・ターゲット、ＨＡＲＱプロセスにおける再送の数、または前記異なるＵＥのトラフィック・ニーズ、のうちの少なくとも１つに基づいてＵＥの異なるグループにリソースの異なるグループを割り当てることを備える、Ｃ１０に記載の方法。
［Ｃ１２］  ワイヤレス通信のための装置であって、
１つまたは複数のユーザ機器（ＵＥ）の異なるグループに、アップリンク・サブフレーム内で、リソースの異なるグループを割り当てるための手段と、ここにおいて、各ＵＥは、前記アップリンク・サブフレーム内でコンテンション・ベースのアクセスのためにその割り当てられたグループからリソースを選択する、および、
リソースの前記割り当てられたグループに、少なくとも部分的に、基づいて前記アップリンク・サブフレームにおいて前記ＵＥから受信されたアップリンク送信を復号するための手段と、を備える装置。
［Ｃ１３］  前記割り当てるための手段は、
サブフレーム未満の持続時間の送信時間インターバル（ＴＴＩ）に対応するリソースの少なくとも１つのグループを、１つまたは複数のＵＥのグループに、割り当てるための手段を備える、Ｃ１２に記載の装置。
［Ｃ１４］  前記ＴＴＩは、サブフレームの１つのタイム・スロット未満の持続時間を有する、Ｃ１３に記載の装置。
［Ｃ１５］  前記割り当てるための手段は、１つのグループ内の各ＵＥに異なる循環シフトまたはルート・シーケンスを割り当てるための手段を備える、および、
前記復号するための手段は、前記異なる循環シフトまたはルート・シーケンスを使用して異なるＵＥを区別するための手段を備える、Ｃ１２に記載の装置。
［Ｃ１６］  前記復号するための手段は、
別のＵＥからのアップリンク送信を復号するために、前記区別されたＵＥのうちの少なくとも１つからのアップリンク送信に基づいて、干渉除去を実行するための手段を備える、Ｃ１５に記載の装置。
［Ｃ１７］  前記復号するための手段は、
成功裏に復号されない少なくとも１つのアップリンク送信から復調参照信号（ＤＭＲＳ）を検出するための手段と、
前記検出されたＤＭＲＳに基づいて前記アップリンク送信を送信したＵＥを識別するための手段と、および、
前記識別されたＵＥにアップリンク割り当てを送信するための手段と、を備えるＣ１２に記載の装置。
［Ｃ１８］  前記復号するための手段は、
別のＵＥからのアップリンク送信を復号するために、少なくとも１つのＵＥからのアップリンク送信の少なくとも部分的な復号に基づいて、干渉除去を実行するための手段を備える、Ｃ１２に記載の装置。
［Ｃ１９］  少なくとも１つのプロセッサおよび前記少なくとも１つのプロセッサに結合されたメモリを備えるワイヤレス通信のための装置であって、
前記少なくとも１つのプロセッサは、
１つまたは複数のユーザ機器（ＵＥ）の異なるグループに、アップリンク・サブフレーム内で、リソースの異なるグループを割り当てるように、ここにおいて、各ＵＥは、前記アップリンク・サブフレーム内でコンテンション・ベースのアクセスのためにその割り当てられたグループからリソースを選択する、および、
リソースの前記割り当てられたグループに、少なくとも部分的に、基づいて前記アップリンク・サブフレームにおいて前記ＵＥから受信されたアップリンク送信を復号するように、構成されている、装置。
［Ｃ２０］  前記割り当てることは、
サブフレーム未満の持続時間の送信時間インターバル（ＴＴＩ）に対応するリソースの少なくとも１つのグループを、１つまたは複数のＵＥのグループに割り当てることを備える、Ｃ１９に記載の装置。
［Ｃ２１］  前記ＴＴＩは、サブフレームの１つの時間スロット未満の持続時間を有する、Ｃ２０に記載の装置。
［Ｃ２２］  前記割り当てることは、グループ内で各ＵＥに異なる循環シフトまたはルート・シーケンスを割り当てることを備え、および、
前記復号することは、前記異なる循環シフトまたはルート・シーケンスを使用して異なるＵＥを区別することを備える、Ｃ１９に記載の装置。
［Ｃ２３］  前記復号することは、
別のＵＥからのアップリンク送信を復号するために、前記区別されたＵＥのうちの少なくとも１つからのアップリンク送信に基づいて、干渉除去を実行することを備える、Ｃ２２に記載の装置。
［Ｃ２４］  前記割り当てることは、グループ内の各ＵＥに異なる循環シフトまたはルート・シーケンスを割り当てることを備え、および、
前記復号することは、前記異なる循環シフトまたはルート・シーケンスを使用して異なるＵＥを区別することを備える、Ｃ１９に記載の装置。
［Ｃ２５］  記憶された命令を有するワイヤレス通信のためのコンピュータ可読媒体であって、前記命令は、
１つまたは複数のユーザ機器（ＵＥ）の異なるグループに、アップリンク・サブフレーム内で、リソースの異なるグループを割り当てることと、ここにおいて、各ＵＥは、前記アップリンク・サブフレーム内でコンテンション・ベースのアクセスのためにそれの割り当てられたグループからリソースを選択する、および、
リソースの前記割り当てられたグループに、少なくとも部分的に、基づいて前記アップリンク・サブフレームにおいて前記ＵＥから受信されたアップリンク送信を復号すること、のために１つまたは複数のプロセッサによって実行可能である、コンピュータ可読媒体。
［Ｃ２６］  前記割り当てることは、
サブフレーム未満の持続時間の送信時間インターバル（ＴＴＩ）に対応するリソースの少なくとも１つのグループを、１つまたは複数のＵＥのグループに、割り当てることを備える、Ｃ２５に記載のコンピュータ可読媒体。
［Ｃ２７］  前記ＴＴＩは、サブフレームの１つの時間スロット未満の持続時間を有する、Ｃ２６に記載のコンピュータ可読媒体。
［Ｃ２８］  前記割り当てることは、１つのグループ内で各ＵＥに異なる循環シフトまたはルート・シーケンスを割り当てることを備え、および、
前記復号することは、前記異なる循環シフトまたはルート・シーケンスを使用して異なるＵＥを区別することを備える、Ｃ２５に記載のコンピュータ可読媒体。
［Ｃ２９］  前記復号することは、
別のＵＥからのアップリンク送信を復号するために、前記区別されたＵＥのうちの少なくとも１つからのアップリンク送信に基づいて、干渉除去を実行することを備える、Ｃ２８に記載のコンピュータ可読媒体。
［Ｃ３０］  前記復号することは、
成功裏に復号されない少なくとも１つのアップリンク送信から復調参照信号（ＤＭＲＳ）を検出することと、
前記検出されたＤＭＲＳに基づいて前記アップリンク送信を送信したＵＥを識別することと、および、
前記識別されたＵＥにアップリンク割り当てを送信することと、を備えるＣ２５に記載のコンピュータ可読媒体。
【外国語明細書】
2020025276000001.pdf